(57)【要約】使用者が握持するハンドル（１１）を備え、装置（１０）をスイングしてゴルフスイングの練習をするためのゴルフスイング練習装置（１０）。装置（１０）の下部には、着脱可能なゴルフクラブヘッド（１２）を備える。ハンドル（１１）には、水等の流動可能な材料を受容する中空部を囲む容器部材（１５）が取り付けられている。装置（１０）の希望の重さは容器部材（１５）内の水の量によって決定する。これにより、ボールを打つことも含め、ゴルフスイングの練習ができる。
2007502176.tif 000002
【特許請求の範囲】
【請求項１】
ゴルフスイング中に所望の重量を有するゴルフスイング練習装置であって、
使用者がボールを打つのに振るための上部を握持する長手のハンドルと、ボールを打つためのゴルフクラブヘッドと、スイング中はボリュームが保持されるとともに、前記重量を調整するためにボリュームを可変とする流動可能な材料を受容するためにハンドルに取り付けた中空容器部材とを備え、前記ゴルフクラブヘッドは、前記容器部材に着脱可能に取り付けられているゴルフスイング練習装置。
【請求項２】
前記容器部材は、前記ハンドルが着脱可能に取り付けられた上端と、前記クラブヘッドが着脱可能に取り付けられた下端とを有する請求項１に記載のゴルフスイング練習装置。
【請求項３】
前記上端は、前記ハンドルをねじ込み式に係合するねじ山付き通路を有し、前記下端は、前記ヘッドの一部がねじ込み式に固着されるねじ山付き通路を有する請求項２に記載のゴルフスイング練習装置。
【請求項４】
前記ハンドルは、前記容器部材を貫通して延在し、前記クラブヘッドに着脱可能に取り付けられることによって前記クラブヘッドが前記容器部材に着脱可能に取り付けられるように構成されたシャフトを有する請求項１に記載のゴルフスイング練習装置。
【請求項５】
前記容器部材は、プラスチック材からなり、その上部に金属スリーブが固定されており、前記シャフトをその中に通して延在させることにより、容器部材をシャフトに取り付け可能に構成されている請求項４に記載のゴルフスイング練習装置。
【請求項６】
前記容器部材の下部には、金属スリーブが固定されており、前記シャフトを延在させることにより、容器部材をシャフトに取り付け可能に構成されている請求項５に記載のゴルフスイング練習装置。
【請求項７】
前記容器部材の下部にインサート部が固定して取り付けられており、前記シャフトは、前記インサート部内にねじ込み式に係合するねじ山部を有するとともに、前記クラブヘッドは、前記インサート部とねじ込み式に係合するねじ山部を有して着脱可能に取り付けられている請求項５に記載のゴルフスイング練習装置。
【請求項８】
前記ハンドルとクラブヘッドを有し、前記容器部材が前記ハンドルに着脱可能に取り付けられることにより、前記クラブヘッドが前記容器部材に着脱可能に取り付けられたゴルフクラブを備える請求項１に記載のゴルフスイング練習装置。
【請求項９】
前記容器部材は、第１と第２の容器部を備え、該容器部は、協働して前記ハンドルに固定される請求項１または８に記載のゴルフスイング練習装置。
【請求項１０】
各容器部は摩擦部材を備え、ハンドルに係合して容器部材とハンドルが相対的に移動しないように抑制する請求項９に記載のゴルフスイング練習装置。
【請求項１１】
容器部材をシャフトに固定するための、張力がかかったストラップを有する請求項９または１０に記載のゴルフスイング練習装置。
【発明の詳細な説明】
【技術分野】
【０００１】
本発明は、ゴルフ練習装置に関し、さらに詳しくは、重さが可変のゴルフ練習装置に関する。
【背景技術】
【０００２】
ＵＳＰＮｏ．５５８０３２１に開示された装置は、使用者が握持するハンドルに水等の液体を受容する中空室を取り付けている。室内の水の量が装置の重さを決定する。この特殊な装置は、ゴルフボールを打つ際のシミュレーションとしては使用できないという欠点がある。別の装置が、国際特許出願ＰＣＴ／ＩＢ９９／０１２６８にて開示されている。この明細書による装置には、ゴルフクラブのシャフトに沿って位置決めできる錘を有する。この装置は、装置の重さを変えることができないという欠点を有する。
【発明の開示】
【発明が解決しようとする課題】
【０００３】
本発明の目的は、上記の欠点のうちの少なくとも一つを克服または実質的に改善することを目的とする。
【課題を解決するための手段】
【０００４】
希望の重量を有するゴルフスイング練習装置であって、装置を振ってボールを打つため使用者が上部を握持する長手のハンドルと、ボールを打つためのゴルフクラブヘッドと、ハンドルに取り付け、前記重量を調整するために量（ボリューム）を可変とする流動可能な材料を受容するための中空容器部材とを備え、前記ゴルフクラブヘッドは、前記容器部材に着脱可能に取り付けられているゴルフスイング練習装置を開示する。
【０００５】
好ましくは、前記容器部材は、前記ハンドルが着脱可能に取り付けられた上端と、前記クラブヘッドが着脱可能に取り付けられた下端とを有する。
【０００６】
好ましくは、前記上端は、前記ハンドルをねじ込み式に係合するねじ山付き通路を有し、前記下端は、前記ヘッドの一部がねじ込み式に固着されるねじ山付き通路を有する。
【０００７】
別の実施の形態では、前記ハンドルは、前記容器部材を貫通して延在し、前記クラブヘッドに着脱可能に取り付けられることによって前記クラブヘッドが前記容器部材に着脱可能に取り付けられるように構成されたシャフトを有する。
【０００８】
好ましくは、前記容器部材は、プラスチック材からなり、その上部に金属スリーブが固定されており、前期シャフトをその中に通して延在させることにより、容器部材をシャフトに取り付けやすいように構成されている。
【０００９】
好ましくは、前記容器部材の下部には、金属スリーブが固定されており、そこを通して前記シャフトを延在させることにより、容器部材をシャフトに取り付けやすく構成されている。
【００１０】
また、別の実施形態では、前記装置は、前記容器部材の下部にインサート部が固定して取り付けられており、前記シャフトは、前記インサート部内にねじ込み式に係合するねじ山部を有するとともに、前記クラブヘッドは、前記インサート部とねじ込み式に係合するねじ山部を有しており、そこに着脱可能に取り付けられている。
【００１１】
好ましくは、練習装置は、前記ハンドルとクラブヘッドを有し、前記容器部材が前記ハンドルに着脱可能に取り付けられることにより、前記クラブヘッドが前記容器部材に着脱可能に取り付けられたゴルフクラブを備える。
【００１２】
好ましくは、前記容器部材は、第１と第２の容器部を備え、該容器部は、協働して前記ハンドルに固定される。
【００１３】
好ましくは、各容器部は摩擦部材を備え、ハンドルに係合して容器部材とハンドルが相対的に移動しないように抑制する。
【００１４】
好ましくは、前記装置は、容器部材をシャフトに固定するための、張力がかかったストラップを有する。
【発明を実施するための最良の形態】
【００１５】
本発明の好ましい形態について、図面を参照しながら説明する。
添付の図１および２は、ゴルフスイング練習装置１０の略図である。装置１０は、使用者が握持して装置１０をスイングするためのハンドル１１を有する。装置１０の下端には、ブレード１３とスピゴットシャフト１４を有するゴルフクラブヘッド１２を備える。ハンドル１１とヘッド１２の間には、水のような流動可能な材料を受容するための中空部を有する容器部材１５が延在する。
【００１６】
容器部材１５は上部ねじ山付き通路１６を有し、その内部にハンドル１１の下部１７がねじ込み式に係合される。容器部材１５の下端には、ねじ山付き通路１８が形成され、その内部にシャフト１４の上部がねじ込み式に係合される。
【００１７】
容器部材１５は容器部材１５の内部の流動可能な材料の液面を示すマーク１９を有する。
【００１８】
装置１０の使用者は、容器部材１５を満たすことにより、装置１０を希望の重さとする。これにより、使用者は、ゴルフスイングを練習し、ボールを打つことができる。ゴルフクラブヘッド１２は、練習するストロークに合わせて変えることができる。
【００１９】
好ましくは、容器部材１５はハンドル１１で閉鎖する通路１６を介して充填する。
【００２０】
図３に示す実施形態では、ハンドル１１には、ヘッド１２のねじ山付きソケット２１にねじ込み式に係合する容器部材１５の内部を延在するシャフト２０が取り付けられている。これにより、ヘッド１２は、ヘッド１２をシャフト２０の下端２２から取り外して交換することができる。
【００２１】
好ましくは、容器部材１５はシャフト２０と摩擦係合し、ソケット２１の上端に当接するように位置する。
【００２２】
図４および５に示す実施形態では、容器部材１５は、互いに固定してシャフト２０に取り付けるように構成された半体２３および２４で形成されている。各半体２３および２４は、取り外し可能なキャップ２５を有し、そこを通じて材料を半体２３および２４の内部に追加することができる。ここでもクラブヘッド１２は、シャフト２０に着脱可能に取り付けられた容器部材１５から取り外し可能であり、そして／あるいは、ハンドル１１、シャフト２０およびヘッド１２から構成されるゴルフクラブ２６において取り替えが可能である。よって、容器部材１５はあるゴルフクラブから別のゴルフクラブに付け替えることができる。
【００２３】
図６から１０では、ゴルフスイング練習装置３０の略図を示す。装置３０は、金属管または強化プラスチック材からなるシャフト３２を有する長手のハンドル３１を有し、その上端に“グリップ”を備える。シャフト３２は、好ましくは金属からなるスリーブ３４にねじ込み式に係合される下端部３３を有する。ゴルフクラブヘッド３７が取り付けられるシャフト下部３６は、インサート部３５の内部にねじ込み式に受容される。
【００２４】
スリーブ３４とインサート部３５には、中空であり、水等の流動可能な材料を受容する容器部材３８が取り付けられる。
【００２５】
シャフト下部３６は、インサート部３５の環状の先端部４０に当接する環状フランジ３９を有する。キャップ４１は、先端部４０にねじ込み式に係合し、フランジ３９をキャップ４１と先端部４０との間に“挟み”、シャフト下部３６をインサート部３５に固定する。
【００２６】
シール４２は、容器部材３８内から水が漏れないようにシャフト３２をスリーブ３４に接続する。
【００２７】
上記の好ましい実施形態を使用する際、使用者は、水を容器部材３８の内部に希望の重さになるまで投入する。その後、使用者は、装置３０を使用してボールをヘッド３７で打つことも含むゴルフスイングの練習をする。この意味では、シャフト下部３６とヘッド３７から構成されるヘッド部４３は取り外して別のヘッド３７を使用できるとよい。これは、キャップ４１を取り外すことによって実現可能である。
【００２８】
図１１から１５に示す実施形態では、シャフト３２は、容器部材３８全長に亘って延在し、ゴルフクラブヘッド３７に係合する。特に、シャフト３２は、その下端に、ヘッド３７のねじ山付きソケット４５内にねじ込み式に係合するねじ山部４４を有する。シャフト３２の容器部材３８への固定を補強するため、ナット４６をねじ山部４４にねじ込み式に係合させて、図１５に示すように、容器部材３８の下端に対して支えるようにする。この実施形態では、容器部材３８に金属スリーブ４９を取り付け、その中にシャフト３２を延在させる。容器部材３８は、蓋４８で閉鎖された上部開口４７を有し、この開口４７から流動可能な材料を投入または排出させる。
【００２９】
図１６から１８に示す実施形態では、ゴルフスイング練習装置６０は容器部材６２が着脱可能に取り付けられたゴルフクラブ６１を有し、クラブヘッド６４が容器部材６２から着脱可能に構成されている。ゴルフクラブ６１は、グリップ６５からヘッド６４まで延在するシャフト６３を有する。容器部材６２は、互いに着脱可能に固定され、固定先の一本のシャフト６３を包囲する半体６６、６７から構成される。半体６６、６７はそれぞれ、固定する際にシャフト６３に摩擦係合して容器部材６２とシャフト６３の間の相対移動を抑制する上下の摩擦部材６８を備える。
【００３０】
容器部材半体６６は、半体６６，６７を正しい位置に位置させ、それらを互いに固定しやすくするため、半体６７の突起７０を受容するソケット６９を備える。しかし、半体６６、６７を互いに保持するために、ストラップ７１、７２が設けてあり、容器部材６２の回りに張力を掛け、容器部材をシャフト６３に着脱可能に取り付けている。
【００３１】
図１６から１８に示す上記の好ましい実施形態は、使用者が希望のクラブ６１を選べることと、容器部材６２に着脱可能に取り付けられるという利点を有する。
【００３２】
上記の実施形態では、各種容器部材はプラスチック材から成形する。
【図面の簡単な説明】
【００３３】
【図１】図１は、ゴルフスイング練習装置の略側面図である。
【図２】図２は、図１の装置と略等角分解図である。
【図３】図３は、図１および２の装置の別の構成を示す略等角分解図である。
【図４】図４は、図１および２の装置の別の変形例を示す略等角図である。
【図５】図５は、図４の装置の略等角分解図である。
【図６】図６は、別のゴルフスイング練習装置を示す略等角図である。
【図７】図７は、図６の装置の略等角分解図である。
【図８】図８は、図６の装置の略正面図である。
【図９】図９は、図８に示す装置の一部を示す略拡大断面図である。
【図１０】図１０は、図８の装置の別の部分の略拡大断面図である。
【図１１】図１１は、図６に示す装置の変形例の略等角図である。
【図１２】図１２は、図１１の装置の略等角分解図である。
【図１３】図１３は、図１１の装置の略正面図である。
【図１４】図１４は、図１３の装置の一部を示す略断面図である。
【図１５】図１５は、図１３の装置の別の部分を示す略側断面図である。
【図１６】図１６は、さらに別のゴルフスイング練習装置の略等角図である。
【図１７】図１７は、図１６の装置の等角分解図である。
【図１８】図１８は、図１６の装置の等角分解図である。
【符号の説明】
【００３４】
１０  ゴルフスイング練習装置
１１  ハンドル
１２  ヘッド
１３  ブレード
１４  スピゴットシャフト
１５  容器部材
１６  上部ねじ山付き通路
１７  下部
１８  ねじ山付き通路
２０  シャフト
２１  ねじ山付きソケット
２２  下端
２３  半体
２４  半体
２５  キャップ
２６  ゴルフクラブ
３０  ゴルフスイング練習装置
３１  長手のハンドル
３２  シャフト
３３  下端部
３４  スリーブ
３５  インサート部
３６  シャフト下部
３７  ゴルフクラブヘッド
３８  容器部材
３９  フランジ
４０  先端部
４１  キャップ
４２  シール
【図１】
2007502176.tif 000003
【図２】
2007502176.tif 000004
【図３】
2007502176.tif 000005
【図４】
2007502176.tif 000006
【図５】
2007502176.tif 000007
【図６】
2007502176.tif 000008
【図７】
2007502176.tif 000009
【図８】
2007502176.tif 000010
【図９】
2007502176.tif 000011
【図１０】
2007502176.tif 000012
【図１１】
2007502176.tif 000013
【図１２】
2007502176.tif 000014
【図１３】
2007502176.tif 000015
【図１４】
2007502176.tif 000016
【図１５】
2007502176.tif 000017
【図１６】
2007502176.tif 000018
【図１７】
2007502176.tif 000019
【図１８】
2007502176.tif 000020
【国際調査報告】
2007502176.tif 000021
2007502176.tif 000022
2007502176.tif 000023